(57)【特許請求の範囲】
【請求項１】
管端防食コア７の管端部内面に挿入された円筒部内面全周に亘って固定リング１０を設け、この固定リング１０によって防食コア７をその前記円筒部を管端部内面に圧接して管端に固定した構成であって、
上記固定リング１０は周方向一つ割りで、その両端１１、１３は重なり合っており、その一端１１の孔１２に他端１３の係止片１５が挿し通され、その係止片１５は、前記他端１３側から立上がって固定リング１０の周方向前記一端１１側に延びて、前記一端１１の孔１２に挿し通された後、折り返され、その折り返しにより、固定リング１０の縮径防止機能が付与されていることを特徴とする管端防食コアの固定構造。
【請求項２】
上記固定リング１０の一つ割りの一端１１は幅狭となった首部１１ａが形成され、その首部１１ａを介して他端１３の固定リング１０の周方向に長い長孔１４にその一端１１を摺動自在に挿し通し、その一端１１の幅は前記長孔１４の幅より広くて抜け止めされていることを特徴とする請求項１に記載の管端防食コアの固定構造。
【請求項３】
管端防食コア７の管端部内面に挿入された円筒部内面全周に亘って設けられて、その防食コア７をその前記円筒部を管端部内面に圧接して管端に固定する固定リング１０であって、
周方向一つ割りで、その一端１１は幅狭となった首部１１ａが形成されているとともに、その首部１１ａより他端１３側に孔１２が形成され、その首部１１ａを介して他端１３の周方向に長い長孔１４にその一端１１が摺動自在に挿し通され、その一端１１の幅は前記長孔１４の幅より広くて抜け止めされ、かつ、その一端１１の孔１２に他端１３の係止片１５が挿し通され、その係止片１５は、前記他端１３側から立上がって固定リング１０の周方向前記一端１１側に延びて、前記一端１１の孔１２に挿し通された後、折り返され、その折り返しにより、固定リング１０の縮径防止機能を付与することを特徴とする管端防食コアの固定リング。
【発明の詳細な説明】
【０００１】
【発明の属する技術分野】
この発明は、パイプラインを構成する上で必要となる乱尺管（切管）に供するもので、特に水道などに用いられる金属管切管端面の防食コアの構造に関するものである。
【０００２】
【従来の技術】
従来、ダクタイル鋳鉄管を地中に埋設して管路を布設する際に、管全体に亘って塗装やライニングによって防食を行い、図７に示すように、先行する管１の受口１ａに後続管２の挿し口２ａを挿入して継合されるのが一般的である。このとき、同図に示すように、耐震性を付与したＮＳ形継手にあっては、受口１ａ内面にロックリング３を設け、同図鎖線のごとく、このロックリング３を突起４が乗り越えて挿し口２ａを挿入する。図中、５はパッキング、６はライニングである。
【０００３】
この管路の布設において、常に定寸法な管による継合だけでは留まらず、工事現場で所定の長さになるように管２を切断して継合しなければならない場合がある。このように途中で管２を切断すると、切断面となる管端面は塗装が剥離して地肌が露出するために、防食機能が損なわれ赤水などの発生を招くことになる。そのため、一般には、切管後の端面には防食塗装を再度塗布して防食を行うことが行われている。しかし、切管後の端面に防食塗料を塗布して再度防食を行う場合、寒冷時においては乾燥に時間がかかり、また、切替工事などの流水が完全に止まらない個所では、塗布しにくい等の作業しづらい、といった問題がある。
【０００４】
このため、切管後の端面に防食用塗料を塗布する以外の方法として、図８に示すように、防食コア７を使用して露出した部分をシールする方法がある。この防食コア７はゴムなどの弾性体で構成されているので、その弾性によって保持されるが、より確実に固定する方法として特開平７−１３９６８６号公報等に示すように、周方向一つ割の開き勝手の固定リング８を用いて防食キャップ７を内面から拡径力によって固定させるものがある。
【０００５】
【発明が解決しようとする課題】
しかし、この固定リング８は開き勝手の拡径力で防食キャップ７を固定しているため、長期使用すると、固定リング８の材料の経年劣化などにより拡径力の減衰が生じ、防食機能を維持し続けるには限度があって、信頼性が低いという問題がある。
【０００６】
この発明は、拡径力の経年劣化を極力抑制することを課題とする。
【０００７】
【課題を解決するための手段】
上記課題を解決するために、この発明は、固定リングの一つ割りの両端間に縮径防止機能を付与したのである。この機能があれば、固定リングが開き勝手であると否とにかかわらず、従来のものに比べれば、経年による拡径力の減衰度合はゆるやかとなる。
【０００８】
【発明の実施の形態】
この発明の実施形態としては、管端防食コアの管端部内面に挿入された円筒部内面全周に亘って固定リングを設け、この固定リングによって防食コアをその前記円筒部を管端部内面に圧接して管端に固定した構成において、前記固定リングは周方向一つ割りで、その両端は重なり合っており、その一端の孔に他端の係止片が挿し通され、その係止片は、前記他端側から立上がって固定リングの周方向前記一端側に延びて、前記一端の孔に挿し通された後、折り返された構成を採用し得る。この構成では、係止片の折り返しにより、その折曲部と挿し通し孔の縁が係止して固定リングの縮径防止機能が果たされる。
【０００９】
この構成において、上記固定リングの一つ割りの一端は幅狭となった首部が形成され、その首部を介して他端の固定リングの周方向に長い長孔にその一端を摺動自在に挿し通し、その一端の幅は前記長孔の幅より広くて抜け止めされている構成とすれば、その一端の抜け止め状態の前記長孔内の移動によって、固定リングの拡縮径が円滑に調整される。すなわち、その移動がガイドとなる。
【００１０】
【実施例】
図１はこの発明の縮径防止機能を兼ね備えた固定リングを示す正面図であり、この固定リング１０は従来から用いられている一つ割の形態で、Ａ側には切欠のある先端１１と孔１２を持ち、Ｂ側の他端１３には先端１１の首部１１ａとかけあわされる長穴１４と孔１２に差し込む係止片１５が形成されており、その係止片１５は、Ｂ側から立上がって固定リング１０の周方向Ａ側に延びている。１６はスナップリングプライヤー２０などを用いて固定リング１０を拡張させて管端防食コア７に嵌め込むために設けた治具用孔であり、なくても取付けに支障はない。固定リング１０の材質はばね性のステンレス材が望ましいが、ばね性がない材料などと特に限定しない。
【００１１】
図２、図３はこの固定リング１０の取付け手順を示す斜視図であり、防食コア７はごく一般的に使用されているもので、内面に固定リング１０を嵌め込む環状溝９が設けられている（図８参照）。まず、図２（ａ）のごとく固定リング１０を円状にし、つぎに、同図（ｂ）のごとく、先端１１を長穴１４にかけあわせた後、孔１２に係止片１５を差し込んで、このリング１０の外径をコア７の内径より小さくし、図３の鎖線から実線のごとく、固定リング１０をコア７内面の環状溝９に納め、スナップリングプライヤー２０や万力などの簡単な治具を使用してコア７内面で固定リング１０を拡張させ（図２（ｂ）参照）、孔１２からのぞいている係止片１５を同図及び図２（ｃ）のごとく折り曲げ、リング１０が円周方向に縮まないように固定する。
【００１２】
このようにして固定リング１０をコア７内面に装着することにより水流によるコア７の脱落を防止することに加えて、先端１１を長穴１４にかけあわせたことで、長穴１４の長さ分、管内径の円周寸法公差を吸収できてリング１０をコア７に円滑に固定できるとともに、係止片１５により縮径を長期にわたり防止してコア７を管端に強固に固定して赤水を防止する。
【００１３】
図４には他の実施例を示し、この実施例は、長穴１４と係止片１５の切欠を連続したものであり、先端１１の移動度が大きくなったことにより、固定リング１０と防食コア７の周方向の周長差（円周寸法公差）をより大きく吸収し得る。また、孔１２を長くすれば、係止片１５の挿入も容易であり、その係止片１５の折り曲げもし易いうえに、その孔１２の部分が円滑に曲がって他端１３に沿い易い。
【００１４】
なお、治具用孔１６は、図５に示すように、その周囲に立ち上がり壁１６ａを形成すると、スナップリングプライヤー２０等の治具によるリング１０の拡縮径時、その壁１６ａが補強となって治具２０がその孔１６から外れにくく、その作用がスムースとなる。その壁１６ａは、孔１６の形成時に切り起こしによって形成すればよく、同図（ｂ）のように傾斜壁とすれば、治具２０の先端部が入り易い等の利点がある。
【００１５】
また、治具用孔１６に代えて係止突起とすることもできる。例えば、図６（ａ）乃至（ｃ）に示すように、弧状に膨出させた突起１７を採用することができ、この突起１７は、同図（ｄ）のごとく、治具２０と係止する。このとき、同図（ｃ）のように、突起１７に治具２０の係止孔１７ａを形成するとよい。
【００１６】
【発明の効果】
この発明は、以上のように固定リングに縮径防止機能を付与したので、固定リングの拡径力の経年劣化も抑制され、このため、防水コアの管端への十分な密着度も長年に亘って維持され、長期間にわたり、赤水を防止することができる。
【図面の簡単な説明】
【図１】一実施例の固定リングの平面図
【図２】同固定リングの取付作用図
【図３】同固定リングの取付作用図
【図４】他の実施例を示し、（ａ）は同固定リングの平面図、（ｂ）は同固定リングの取付作用図
【図５】他の各実施例の要部断面図
【図６】他の実施例の要部斜視図又は断面図
【図７】管継手部の要部断面図
【図８】管挿し口の要部拡大断面図
【符号の説明】
１、２  管
１ａ  受口
２ａ  挿し口
７  防食コア
８、１０  防食コア用固定リング
１１  固定リングの一つ割りの一端（先端）
１１ａ  一端首部
１２  係止片挿通用孔
１３  固定リングの一つ割りの他端
１４  長孔（長穴）
１５  係止片
１６  治具用孔
１７  係止突起
２０  スナップリングプライヤー（拡径治具）
【図１】
0003628568.tif 000002
【図２】
0003628568.tif 000003
【図３】
0003628568.tif 000004
【図４】
0003628568.tif 000005
【図５】
0003628568.tif 000006
【図６】
0003628568.tif 000007
【図７】
0003628568.tif 000008
【図８】
0003628568.tif 000009